(57)【特許請求の範囲】
【請求項１】
投入された硬貨を１枚ずつ硬貨通路に沿って移動させ、硬貨通路の下手側に設けられた、金種別の硬貨の外径に対応した幅ずつ、硬貨の移動方向に段階的に増加する切欠きを持つ振分けスリットの該当する切欠きから振分けスリット外へ硬貨を排出して硬貨を選別する硬貨選別装置において、硬貨通路の上手側に設けられ、移動して行く各硬貨の材質を白銅と白銅以外とに判別する材質判別手段と、硬貨通路の材質判別手段より下手側に設けられ、材質判別手段の判別結果に応じて自身より下手側の硬貨通路を分岐させる振分けゲートと、この分岐した各下手側の硬貨通路に設けられ、夫々該当する材質の硬貨に対応する振分けスリットとを備えたことを特徴とする硬貨選別装置。
【請求項２】
請求項１に記載の硬貨選別装置において、硬貨が、硬貨の面内にあって硬貨通路の硬貨の移動方向に直交する直線がほぼ水平となる姿勢で、硬貨通路を搬送手段によって搬送されつつ、振分けスリットにて振分けられるようにしたことを特徴とする硬貨選別装置。
【請求項３】
請求項１に記載の硬貨選別装置において、振分けスリットにて振分けられる直前の硬貨の姿勢を、このときの硬貨の面内にあって、硬貨通路の硬貨の移動方向に直交する直線の、この硬貨の移動方向を含む鉛直面となす角度が０°を越え９０°未満となるようにしたことを特徴とする硬貨選別装置。
【請求項４】
請求項３に記載の硬貨選別装置において、硬貨が硬貨通路を転動落下して移動しつつ、前記振分けスリットによって振分けられるようにしたことを特徴とする硬貨選別装置。
【請求項５】
請求項４に記載の硬貨選別装置において、硬貨の材質別の２つの振分けスリットの夫々の基面が断面Ｖ字型の谷状の硬貨通路の傾斜して対向する側壁面を形成し、この２つの側壁面が交わる硬貨通路の底部が硬貨の転動路となるようにしたことを特徴とする硬貨選別装置。
【請求項６】
請求項１ないし５に記載の硬貨選別装置において、前記硬貨の材質別の振分けスリットが沿う硬貨通路での硬貨の移動方向を一致させ、各振分けスリットの各切欠きを、この硬貨の移動方向において、硬貨の金額順となるように配置したことを特徴とする硬貨選別装置。
【発明の詳細な説明】
【０００１】
【発明の属する技術分野】
本発明は投入した硬貨を選別して収納する硬貨分類収納装置や、その分類収納した硬貨をつり銭として払出す硬貨つり銭自動支払機などに組込まれる硬貨選別装置に関する。
なお、以下各図において同一の符号は同一もしくは相当部分を示す。
【０００２】
【従来の技術】
図８は従来の国内発行６金種の硬貨選別装置の一例の要部の構成を示す上面図、図９は図８の装置の振分けスリット７部分の側部断面図である。図８において１は硬貨の投入口、３は投入口１に投入された硬貨を矢印方向へ搬送する搬送ベルト、６１は搬送ベルト３により搬送された硬貨を左方の振分けスリット７の方向に案内する固定ゲートである。振分けスリット７には硬貨２の搬送方向（図では左方向）に順次その切欠き幅が拡がるように、６金種の外径に対応した幅の切欠き（スリット）ＳＬが形成されている。そして硬貨２は図外の搬送手段によって振分けスリット７に沿い左方へ搬送されながら、自身の外径に対応する幅のスリットＳＬの部分で図９に示すように下方（矢印方向、図８では紙面の背後方向）へ落下して振分けられ選別される。
【０００３】
図１０は従来の国内発行６金種の硬貨選別装置の異なる例の要部の構成を示す上面図、図１１は図１０の装置の動作説明用のタイムチャートである。図１０においては硬貨の外径・材質等の識別要素から金種を判定する硬貨識別部ＣＶを硬貨搬送手段（搬送ベルト３など）の上流側に配置し、この識別部ＣＶの下流側に金種別の振分けゲートＧ（Ｇ１〜Ｇ６）を設け、識別部ＣＶの識別結果に応じて図１１に示すように硬貨の搬送距離に対応したパルスを発生する同期信号発生器ＳＧにより、当該硬貨が対応する振分けゲートＧの部分に搬送されたタイミングに、その金種のゲートＧを駆動してその硬貨を外部に振分け選別する。
【０００４】
【発明が解決しようとする課題】
確実に硬貨の選別を行う、という観点からみると、従来の図８の硬貨選別装置では構造を比較的簡単に構成できるが、国内発行の６金種の硬貨の選別をしようとする場合、５円硬貨（公称寸法２２．０ｍｍ），１００円硬貨（公称寸法２２．６ｍｍ）の分類箇所のようにその寸法差が僅かである部分には、部品の製作精度を高める必要があった。また、一方で昭和２４年〜３３年に発行された５円硬貨は現在発行されている５円硬貨と比較して外径寸法のバラツキが大きく、２２．５ｍｍ程度の外径の物も存在しており、５円の選別切欠き部にて落下せず１００円の選別切欠き部まで到達し、誤振分けが発生している。
【０００５】
また、図１０の硬貨選別装置では前述のような誤選別の問題は解決されてはいるが、識別部ＣＶの識別結果に応じた各金種別振分けゲートＧ１〜Ｇ６の同期制御が必要であり、装置が複雑且つ高価格となっている。
そこで本発明はこれらの問題を解消し、より確実な硬貨選別を行い、且つ構造を簡略化できる硬貨選別装置を提供することを課題とする。
【０００６】
【課題を解決するための手段】
前記の課題を解決するために、請求項１の硬貨選別装置は、
（投入口１に）投入された硬貨（２）を１枚ずつ硬貨通路（８）に沿って移動させ、硬貨通路の下手側に設けられた、金種別の硬貨の外径に対応した幅ずつ、硬貨の移動方向に段階的に増加する切欠き（ＳＬ）を持つ振分けスリットの該当する切欠きから振分けスリット外へ硬貨を排出して硬貨を選別する硬貨選別装置において、
硬貨通路の上手側に設けられ、移動して行く各硬貨の材質を判別する材質判別手段（４など）と、
硬貨通路の材質判別手段より下手側に設けられ、材質判別手段の判別結果に応じて自身より下手側の硬貨通路を分岐させる振分けゲート（６，６’など）と、この分岐した各下手側の硬貨通路に設けられ、夫々該当する材質の硬貨に対応する振分けスリット（７１，７２、７１’，７２’など）とを備えたものとする。
【０００７】
また請求項２の硬貨選別装置は、請求項１に記載の硬貨選別装置において、
硬貨が、硬貨の面内にあって硬貨通路の硬貨の移動方向に直交する直線がほぼ水平となる姿勢で、硬貨通路を搬送手段（図外の搬送ベルトなど）によって搬送されつつ振分けスリットにて振分けられるようにする。
また請求項３の硬貨選別装置は、請求項１に記載の硬貨選別装置において、
振分けスリットにて振分けられる直前の硬貨の姿勢を、このときの硬貨の面内にあって、硬貨通路の硬貨の移動方向に直交する直線の、この硬貨の移動方向を含む鉛直面となす角度が０°を越え９０°未満となるようにする。
【０００８】
また請求項４の硬貨選別装置は、請求項３に記載の硬貨選別装置において、
硬貨が硬貨通路を転動落下して移動しつつ、前記振分けスリットによって振分けられるようにする。
また請求項５の硬貨選別装置は、請求項４に記載の硬貨選別装置において、
硬貨の材質別の２つの振分けスリット（７１’，７２’）の夫々の基面が断面Ｖ字型の谷状の硬貨通路の傾斜して対向する側壁面を形成し、この２つの側壁面が交わる硬貨通路の底部（枠体下端面ＦＲａ）が硬貨の転動路となるようにする。
【０００９】
また請求項６の硬貨選別装置は、請求項１ないし５に記載の硬貨選別装置において、
前記硬貨の材質別の振分けスリットが沿う硬貨通路での硬貨の移動方向を一致させ、
各振分けスリットの各切欠きを、この硬貨の移動方向において、硬貨の金額順となるように配置する。
【００１０】
本発明の主となる作用は次の如くである。即ち先ず投入された硬貨の材質を検出し、その検出した材質の結果に基づき振分けゲートを制御し、硬貨を材質別に設けた振分けスリットへ分岐移動させて選別する。
国内発行６金種の硬貨の外径と材質を硬貨の外径順に並べて示すと、表１のようになる。
【００１１】
【表１】
0003653845.tif 000002
この表１に示すように、５円と１００円との外径差が最も小さい。そして従来技術の項で説明した通り、５円硬貨には大きめの外径のものがありその差はさらに小さくなり、余裕がなくなる。次に表１を材質（白銅とそれ以外）毎に並べ変えると、表２のようになる。
【００１２】
【表２】
0003653845.tif 000003
この表２から判るように白銅グループと非白銅グループとの各グループ内では、夫々に外径差の最小値が存在するが、その値は従来の０．６ｍｍから１．５ｍｍと大きくなり選別がより容易になる。
【００１３】
選別される硬貨の流れは次のようになる。投入された硬貨は材質センサによってその材質を白銅とそれ以外の材質とに判定される。材質センサの検出結果（判定結果）により振分けゲートはその材質に対応した振分けスリット側に切換わる。硬貨はその材質に対応した振分けスリットに導かれ、その金種の外径幅の切欠き部から落下する。
【００１４】
なお、材質センサとしては例えばコルピッツ発振器を主回路とするものを用いることにより、白銅と非白銅を判定できる。なお、このような材質センサは本出願人の先願になる特開平７−２００９１２号公報に記載されている。
【００１５】
【発明の実施の形態】
（実施例１）
図１は本発明の第１の実施例としての、ベルト式搬送手段を有する硬貨選別装置の要部の構成を示す上面図である。同図においては図８に対し搬送ベルト３の搬送距離の近い方から順に搬送ベルト３と直角の方向（図では左方）に向けて、振分けスリット７１，７２が並設されている。そして振分けスリット７２の右端の硬貨導入部には、搬送ベルト３によって搬送されて来た硬貨を振分けスリット７２側へ導く固定ゲート６１が設けられ、振分けスリット７１の右端の硬貨の導入部には搬送ベルト３によって搬送されて来た硬貨を振分けスリット７１側へ導いたり、そのまま通過させたりする硬貨振分けの可能な振分けゲート６が設けられている。また、搬送ベルト３の搬送途上の硬貨の投入口１と振分けゲート６との間の位置に材質センサ４が設けられている。ここで振分けスリット７１は前述の白銅グループの金種の硬貨を振分けるためのものであり、振分けスリット７２は非白銅グループの金種の硬貨を振分けるためのものである。なお、制御部５は材質センサ４の検出信号４ａに基づく硬貨材質の判定結果に応じて、振分けゲート６の駆動制御を行うほか、この装置全体を制御する。
【００１６】
図２は振分けスリット７１，７２の動作説明のための図１の振分けスリット７１，７２部分の側部断面図である。
図３は図１の振分けゲート６の動作説明用の右側面図である。この例では振分けゲート６は上，下に駆動され、硬貨２を振分けスリット７１側へ送るときは点線にように下方に駆動されて、搬送ベルト３上の硬貨２がそのまま通り抜けることを防いで、硬貨２を搬送ベルト３の搬送方向と直交する振分けスリット７１の方向（図１の左方）へ案内する。また、振分けゲート６は硬貨２を振分けスリット７２側へ送るときは実線のように下方に駆動されず、硬貨２はそのままこのゲート６を通り抜ける。
【００１７】
図４は図１の制御部５の動作説明用のタイムチャートを示し、図４の上側の図は材質センサ４の硬貨材質別の検出信号４ａを示す。この図のように硬貨材質が白銅のときは非白銅に比べて材質センサ４の検出信号出力のレベルが大きい。ここでＬ１を白銅か非白銅かの材質判定のしきい値とし、Ｌ２を硬貨検知のしきい値とする。また、図４の下側の図は材質センサ４が白銅の検出信号４ａを出力したとき、制御部５から出力される振分けゲート６の駆動用の信号５ａの出力のタイミングを示す。
【００１８】
図５は図１の制御部５の動作説明用のフローチャートで、Ｓ１〜Ｓ６はそのステップを示す。次に図２ないし図５を参照しつつ図１の動作を説明する。投入口１に硬貨２が投入されると制御部５は搬送ベルト３を駆動する（図５，Ｓ１）。これにより硬貨２は硬貨搬送ベルト３に載せられて装置内に取込まれ、搬送される。取込まれた硬貨２が搬送ベルト３の略裏面に配置された材質センサ４の部分に到達し、材質センサ４の検出信号４ａのレベルが図４に示すように硬貨検知のしきい値Ｌ２を越えると（図５，Ｓ２，分岐Ｙ）、制御部５は検出信号４ａの最大値のサンプリングを開始する（図５，Ｓ３）。そしてセンサ検出信号４ａが硬貨検知のしきい値Ｌ２を下回った時点で（図５，Ｓ４，分岐Ｎ）、制御部５はサンプリングした最大値から材質を判定する。この例ではセンサ検出信号４ａが材質判定のしきい値Ｌ１を越えたことで白銅と判定した時（図５，Ｓ５，分岐Ｙ）、図４に示すように駆動信号５ａを出力し振分けゲート６を所定時間駆動する（図５，Ｓ６）。振分けゲート６は駆動信号５ａにて搬送ベルト３の面側へと移動する。白銅と判定された硬貨は搬送ベルト３の搬送方向に対し略４５°の傾きを持つ振分けゲート６のガイドに沿って搬送方向を変更され、白銅硬貨用の振分けスリット７１へと搬送される。
【００１９】
制御部５は硬貨２の搬送ベルト３側から振分けスリット７１側への通過を図外の手段を介し検知すると、振分けゲート６の駆動を解除する。
白銅硬貨用振分けスリット７１側へと搬送された硬貨２は、該当する金種の切欠き（スリット）ＳＬ部分から外部へ落下する。
材質センサ４の検出信号４ａに基づく判定結果が白銅以外の場合は（図５，Ｓ５，分岐Ｎ）、制御部５は振分けゲート６に対して駆動信号は送らず、硬貨２はこの振分けゲート６の部分をそのまま通り抜けたのち、固定ゲート６１によって非白銅硬貨用振分けスリット７２側へ案内され搬送されて行く。
【００２０】
（実施例２）
図６は本発明の第２の実施例としての硬貨転動式の硬貨選別装置の要部の構成を示す。ここで同図（Ａ）はこの装置の上面図、同図（Ｂ）は同じく左側面図、同図（Ｃ）は同じく正面図である。
図６においてＦＲは上方が開いたＶ字状の断面を持つスリット枠体で、枠体ＦＲの下端面ＦＲａは図（Ａ），（Ｃ）の右方から左方へ向って傾斜し、硬貨の転動路を形成している。そして枠体ＦＲの内部は硬貨通路８を構成し、図１の振分けスリット７１，７２に夫々対応する振分けスリット７１’，７２’はこのスリット枠体ＦＲの対向する傾斜面（換言すれば硬貨の面が沿う硬貨通路８の、両側の傾斜した壁面）を形成し、枠体下端面ＦＲａを転動落下する硬貨２が切欠きＳＬから枠体ＦＲの外部へ抜けて落下するように切欠きＳＬが設けられている。
【００２１】
材質センサ４と、図１の振分けゲート６に対応する振分けゲート６’は、非白銅硬貨用の振分けスリット７２’の硬貨投入口１に近い基面（硬貨が沿って動く面）上に設けられている。そして硬貨投入口１は投入口１から硬貨通路８の内部に取込まれた硬貨が、先ず振分けスリット７２’の基面側に沿って転動落下するように構成されている。
【００２２】
図４に示した材質センサ４の検出信号４ａと制御部５の出力する振分けゲート駆動信号５ａの関係は、図６の制御部５についても同様にあてはまる。
図６の動作を述べると、投入口１に投入された硬貨２は硬貨通路８の片側の壁面（つまり振分けスリット７２’の基面）にその片面を沿わせて枠体下端面ＦＲａ上を転動しながら図（Ａ），（Ｃ）の右方から左方へ落下して行く。材質センサ４は、前述のように硬貨通路８の硬貨２が沿う側（つまり振分けスリット７２’の基面上）に配置されている。転動落下する硬貨２は材質センサ４の部分に到達する。材質センサ４の検出信号４ａに基づいて制御部５は図１の場合と同様に白銅とそれ以外を磁気的な特性の違いから判定する。
【００２３】
制御部５は材質センサ４の検出信号４ａに基づく判定結果が白銅であった場合は、振分けゲート６’に駆動信号５ａを送る。振分けゲート６’は硬貨通路８の硬貨が沿う振分けスリット７２’の基面上に配置されていて、制御部５からの駆動信号５ａを受けると図５（Ｂ）に示すように硬貨２の上の縁を突くように突出する。これにより硬貨２はその姿勢を換えられ白銅硬貨用振分けスリット７１’の基面に沿って転動落下して行く。制御部５は、図４と同様に所定時間だけ振分けゲート６’を駆動する。
【００２４】
白銅硬貨用振分けスリット７１’の基面に沿って転動する硬貨２は、該当する金種の切欠きＳＬ部分から硬貨通路８の外部に落下する。材質センサ４の検出信号４ａに基づく制御部５の判定結果が白銅以外の場合は、制御部５は振分けゲート６’に対して駆動信号５ａは送らず、硬貨２はそのまま非白銅硬貨用振分けスリット７２’の基面に沿って転動落下し、その切欠きＳＬ部分で硬貨通路の外部に落下する。
【００２５】
（実施例３）
図７は本発明の第３の実施例としての振分けスリット７１，７２の切欠きの位置を白銅貨，非白銅貨を通じて金額順に配置した硬貨選別装置の上面図である。この図７の配置は図１の硬貨選別装置に対して適用した場合を示すが、図６の硬貨選別装置にも適用できることは云うまでもない。
【００２６】
この図７のように、振分けスリット７１，７２の切欠きＳＬを設ける位置を配置すると金額順に選別硬貨を並べることができ、硬貨の取扱が判り易くなる。
【００２７】
【発明の効果】
本発明によれば硬貨選別装置の硬貨投入口に投入した硬貨を、硬貨通路に沿い、搬送ベルト、あるいは硬貨自身の転動落下等によって１枚ずつ移動させ、硬貨通路の硬貨移動の上手側に硬貨の材質を判定するための材質センサを、下手側に硬貨の材質別の振分けスリットを、また材質センサと振分けスリットとの中間に振分けゲートを夫々設け、材質センサの検出信号に基づく硬貨材質の判定結果に応じて振分けゲートを介し当該の硬貨の移動して行く通路を、対応する硬貨材質の振分けスリットの方向へ切換え分岐するようにしたので、次のような効果を得ることができる。
【００２８】
（１）硬貨振分けスリットの金種間の外径差を大きくとれるため、誤選別の回避が容易になる。
（２）構造が簡単に構成できるため安価に装置を供給できる。
（３）硬貨振分けスリットの金種別の切欠きを金額順に配置することが可能となり、装置内部の硬貨収納状態と表示装置の表示内容の配置順における不整合がなくなる。
【図面の簡単な説明】
【図１】本発明の第１の実施例としての要部の構成を示す上面図
【図２】図１の動作説明用の振分けスリット部分の側部断面図
【図３】図１の振分けゲートの動作説明用の右側面図
【図４】図１の制御部の動作説明用のタイムチャート
【図５】図１の制御部の動作説明用のフローチャート
【図６】本発明の第２の実施例としての要部の構成図
【図７】本発明の第３の実施例としての要部の構成を示す上面図
【図８】従来の硬貨選別装置の一例としての要部の構成を示す上面図
【図９】図８の動作説明用の振分けスリット部分の側部断面図
【図１０】従来の硬貨選別装置の異なる例としての要部の構成を示す上面図
【図１１】図１０の動作説明用の同期信号のタイムチャート
【符号の説明】
１    投入口
２    硬貨
３    搬送ベルト
４    材質センサ
４ａ  検出信号
５    制御部
５ａ  ゲート駆動信号
６，６’    振分けゲート
８    硬貨通路
６１    固定ゲート
７１，７２，７１’，７２’    振分けスリット
ＳＬ    切欠き
ＦＲ    スリット枠体
ＦＲａ  枠体下端面
【図１】
0003653845.tif 000004
【図２】
0003653845.tif 000005
【図３】
0003653845.tif 000006
【図４】
0003653845.tif 000007
【図５】
0003653845.tif 000008
【図６】
0003653845.tif 000009
【図７】
0003653845.tif 000010
【図８】
0003653845.tif 000011
【図９】
0003653845.tif 000012
【図１０】
0003653845.tif 000013
【図１１】
0003653845.tif 000014